(57)【要約】【課題】内袋を備えるコンテナにおいて、収納物が高粘度の粘体等であっても最後まで殆ど残留させずに排出でき、しかも内袋に対する着脱が容易で、繰り返し使用が可能な排出用補助具を提供する。【解決手段】内袋２０の上部開口もしくは注入口２３より挿入可能で、収納物ａの上方から内袋底部２１に達する長さの主体部１０を有し、外周全域にわたって収納物が通過可能な開孔１１を有する網状体による筒形にして、主体部１０の下端部に排出用管２５が連結される排出用口部２２に嵌入可能な連結用筒部１５を設け、連結用筒部１５を排出用口部２２に嵌入して立設した状態で収納物をポンプにより吸引して排出できるようにする。【選択図】図５
2010126178.tif 000002
【特許請求の範囲】
【請求項１】
液体もしくは粘体を収納する内袋を備えるコンテナにおいて使用する排出用補助具であって、
前記内袋の上部に有する開口もしくは注入口より該内袋内に挿入可能で、かつ収納物の上方から内袋底部もしくはその近傍にまで挿入できる所要長さの主体部を有し、該主体部が、外周全域にわたって収納物が通過可能な開孔を有する網状体による筒形をなし、該主体部の上下一方端に連結用筒部が設けられ、前記連結用筒部に直接又は間接的に排出用管を接続した状態で収納物を排出できるように形成されてなることを特徴とする液体もしくは粘体の排出用補助具。
【請求項２】
排出用管が接続される排出用口部を底部に有する内袋を備えるコンテナにおいて使用する排出用補助具であって、前記主体部が前記内袋の排出用口部よりも径大の外径をなすとともに、下端に前記排出用口部に嵌入し得る連結用筒部が設けられ、前記排出用口部に対する前記連結用筒部の嵌入により立設状態に保持し得るように設けられてなることを特徴とする請求項１に記載の液体もしくは粘体の排出用補助具。
【請求項３】
前記連結用筒部の下端には、収納物の流通を阻害しない形状で先細状をなす、前記排出用口部に対する挿入ガイドが設けられてなる請求項２に記載の液体もしくは粘体の排出用補助具。
【請求項４】
前記主体部の上端に吸引用の排出用管を接続するための連結用筒部が設けられてなる請求項１に記載の液体もしくは粘体の排出用補助具。
【請求項５】
前記主体部が、長手方向に間隔をおいて配した環状円板の外周部に周方向の所要間隔毎に複数本の棒状線材を配して形成した網状体よりなり、外周全域に環状円板と前記棒状線材により画される長孔状の開孔が形成されてなる請求項１〜４のいずれか１項に記載の液体もしくは粘体の排出用補助具。
【請求項６】
前記主体部が、多数の開孔を有する多孔板もしくは金網よりなる保形性のある網状体により筒形をなすように形成されてなる請求項１〜４のいずれか１項に記載の液体もしくは粘体の排出用補助具。
【請求項７】
排出用口部を底部に有し液体もしくは粘体を収納する内袋と、該内袋の外側を覆う外容器とを備えるコンテナにおいて、前記排出用口部に連結された排出用管を通じてポンプの吸引力で収納物である液体もしくは粘体を排出する際、前記主体部の下端に連結用筒部が設けられた前記請求項２又は３に記載の排出用補助具を用いることとし、該排出用補助具を前記内袋上部の開口もしくは注入口から該内袋内に挿入して、前記連結用筒部を内袋底部の排出用口部に嵌入することにより立設状態に保持するとともに、前記内袋上部の開口もしくは注入口を閉塞した状態で、該内袋上部を前記排出用補助具の上端部もしくは外容器の蓋付きの開口部等に係合して下方に落ち込ませないように保持して、排出を行うことを特徴とする液体もしくは粘体の排出方法。
【発明の詳細な説明】
【技術分野】
【０００１】
本発明は、液体もしくは粘体を収納する内袋を備える輸送用のコンテナ、特には粘度の高い粘体を収納するコンテナにおいて使用する排出用補助具と、これを使用する排出方法に関するものである。
【背景技術】
【０００２】
グリース等の工業用の油脂類、印刷インキ、接着剤、塗料、ボディソープ等のクリーム状物、マヨネーズ等の練状食品その他の各種の粘度の高い液体即ち粘体の輸送に使用するコンテナとしては、従来より一般には金属製やプラスチック製のタンクが使用されていたが、かかるタンクは比較的高価であって、かつ空タンクの輸送や保管効率が劣る上に、繰り返し使用するためのタンク内面や排出用管の洗浄作業が面倒なものであった。
【０００３】
近年、合成樹脂フィルム等よりなる袋体を内袋として、折り畳みや分解が可能な剛性素材よりなる外枠等の外容器と組み合わせて使用し、該内袋を１回の使用で廃棄するようにして、洗浄作業を簡略化した液体コンテナが提案されている（例えば、特許文献１）。
【０００４】
この場合、比較的粘度の低い液体の輸送においては、液体の流動性を利用して充填及び排出を容易に行うことができるが、粘度の高い液体や殆ど流動性を有さない練状物等の粘体の場合には、粘体自体の流動性だけでは充填及び排出が行われ難いものである。そのため、例えば、袋底部に有する排出用口部から、ポンプにより圧送して充填したり、ポンプにより吸引して排出することが行われている。
【０００５】
ところで、前記の粘体等の収納物をポンプの吸引力で排出するようにした場合、収納物が前記排出用口部の近辺から吸引されて排出されることで、収納物の上面では中央部から陥没し、これに伴って前記内袋の天部が中央部から引き込まれ、該内袋の一部が排出用口部に吸い込まれたりして、該排出用口部を塞ぎ、その結果、収納物の排出が阻害されることがあり、内袋内の周辺部等では収納物が充分に排出されずに残存するおそれがある。特に、収納物が殆ど流動性を有さない高粘度の粘体の場合には、前記のような問題が生じ易くなる。
【０００６】
そのため、前記排出用口部に取着した筒状の排出体に、収納物を通過させる長孔を有するフランジ筒を内方上向きに突設しておくことにより、前記内袋が排出用口部に吸い込まれて該排出用口部を完全に塞ぐことになるのを防止するようにしたコンテナ用の内袋が提案されている（特許文献２）。
【０００７】
また、ドラム管等の外装容器に内装する内袋としての合成樹脂フィルム製の容器で、凍結された液体等を収納する容器において、内容物を吸引注出する際、注出経路の閉塞を防いで、内容物を効率よく吸引注出するために、網状体のチューブ等よりなる流路確保部材を挿入しておくことが提案されている（特許文献３）。
【特許文献１】特許第３７６９６５３号公報
【特許文献２】特開２００４−１８２２７５号公報
【特許文献２】特開２００５−２９８０３８号公報
【発明の開示】
【発明が解決しようとする課題】
【０００８】
前記特許文献２のようにして、排出用口部に対する内袋の密着を防ぐだけでは、ポンプによる吸引により粘体等の収納物が排出用口部の近辺から排出されることに変わりがないため、収納物がある程度排出されて前記内袋が前記排出体の全体を覆うように吸着された場合には、収納物の排出が阻害されることになり、その結果、内部の収納物が完全に排出されずに残存するおそれがある。また収納物が排出されて減少するのに伴って、前記コンテナ用の内袋がコンテナ底部に幾重にも重なって畳まれた状態になっても、収納物が益々排出され難くなり、排出されない残量が多くなる。
【０００９】
また、特許文献３のように、内袋として使用する合成樹脂フィルム製の容器内部に流路確保部材を挿入しておくのは、該容器（内袋）の製造に手数が係ることになる上、該流路確保部材が剛体の場合、外容器に内装しセットするまでの取り扱いにおいて、該容器（内袋）を嵩低く折り畳んでおくことができないことになり、取り扱い難いものになる。特に、高粘度の粘体等のコンテナにおいて、洗浄作業等の利便性のために使い棄てを想定して使用する内袋として、その内部に前記流路確保部材を挿入して構成しておくのは、内袋と共に流路確保部材も使い棄てになり、繰り返し使用できず、不経済である。
【００１０】
本発明は、前記の問題点を解決するためになしたものであり、液体もしくは粘体を収納する内袋を備えるコンテナにおいて、内部の収納物をポンプにより吸引して排出する際に、前記内袋によって該排出用口部が塞がれたりするのを最後まで防止できて、収納物を殆ど残留させずに排出でき、しかも、内袋に対し適宜挿入して使用でき、使用後の内袋との分離も容易で、繰り返し使用が可能な排出用補助具を提供するものであり、さらに前記排出用補助具を使用した排出方法を提供するものである。
【課題を解決するための手段】
【００１１】
上記の課題を解決する本発明は、液体もしくは粘体を収納する内袋を備えるコンテナにおいて使用する排出用補助具であって、前記内袋の上部に有する開口もしくは注入口より該内袋内に挿入可能で、かつ収納物の上方から内袋底部もしくはその近傍にまで挿入できる所要長さの主体部を有し、該主体部が、外周全域にわたって収納物が通過可能な開孔を有する網状体による筒形をなし、該主体部の上下一方端に連結用筒部が設けられ、前記連結用筒部に直接又は間接的に排出用管を接続した状態で収納物を排出できるように形成されてなることを特徴とする。
【００１２】
本発明の排出用補助具は、前記内袋を備えるコンテナにおいて、液体や粘体等の収納物を排出する際に使用するもので、前記内袋内に挿入しセットした前記排出用補助具の主体部の一方端に有する連結用筒部に直接又は間接的に排出用管を接続しておいて、ポンプにより吸引し排出する。これにより、収納物の減少に伴って前記内袋同士を密着させたり、排出用口部を塞ぐ虞なく最後まで殆ど残留させずに排出できる。
【００１３】
特に、前記排出用補助具の主体部が外周全域に開孔を有する網状体による筒形をなしており、ポンプの吸引力が該主体部の内孔を通じて外周全域の開孔に及ぶため、収納物が高粘度の粘体であっても前記外周全域で吸引して効率よく排出できる。また仮に、前記内袋の一部が前記排出用補助具の主体部の一部に密着して一部の開孔を閉塞することがあっても、他の開孔の部分から吸引して最後まで排出できることになる。さらに、前記内袋がコンテナ底部上に折り畳まれるのを前記排出用補助具により防止できることにもなる。
【００１４】
また、前記排出用補助具は、前記内袋に対し挿入可能で適宜挿入セットして使用でき、内袋とは別に取り扱えるため、前記内袋の使用までの折り畳みの邪魔にならず、しかも使用後には該排出用補助具を取り外しておくことにより、内袋のみを廃棄でき、該排出用補助具を繰り返し使用することができる。
【００１５】
前記の排出用補助具において、排出用管が接続される排出用口部を底部に有する内袋を備えるコンテナにおいて使用するものにおいて、前記主体部が前記内袋の排出用口部よりも径大の外径をなすとともに、下端に前記排出用口部に嵌入し得る連結用筒部が設けられ、前記排出用口部に対する前記連結用筒部の嵌入により立設状態に保持し得るように設けられてなるものとすることができる。
【００１６】
この場合、前記内袋に収納されている粘体等の排出の際に、前記内袋上部の開口もしくは注入口から前記排出用補助具を挿入し、下端部の連結用筒部を内袋底部の排出用口部に挿入し嵌入して立設状態に保持して使用する。この使用においては、前記内袋上部の開口もしくは注入口を閉塞して、かつ該内袋上部を前記排出用補助具の上端部もしくは外容器の蓋付きの開口部等に係合し保持しておく。これにより、内袋がコンテナ底部上に折り畳まれるのを規制しながら、前記のように内部の収納物を前記排出用補助具の主体部全域の開孔及び内孔を通じて排出用口部から効率よく排出できる。
【００１７】
前記の排出用補助具において、前記連結用筒部の下端には、収納物の流通を阻害しない形状で先細状をなす、前記排出用口部に対する挿入ガイドが設けられてなるものが好ましい。これにより、内袋底部の排出用口部が内部の収納物のために上方から見えなくても、その排出用口部の個所を前記挿入ガイドで探ることで、その先端が排出口用口部に嵌り込みさえすれば、そのまま落とし込むようにして前記連結用筒部を排出用口部に嵌入さことができ、排出時に収納物の上方から挿入セットするのも容易になる。しかも、前記のように内部の収納物を最後まで殆ど残留させずに効率よく排出できることになる。
【００１８】
また、前記の排出用補助具において、前記主体部の上端に吸引用の排出用管を接続するための連結用筒部が設けられてなるものとすることもできる。この場合、内袋上部の注入口から内部の収納物をポンプにより吸引して排出するコンテナ、例えば、底部に排出用口部を有さない内袋を備えるコンテナにおいて、前記注入口から前記排出用補助具を内袋内に挿入セットし、該注入口から臨出させた前記連結用筒部に排出用管を接続するようにして使用できる。この使用においても、前記同様にポンプによる吸引力を主体部の全域に及ぼすことができ、内部の収納物を最後まで殆ど残留させずに効率よく排出できることになる。
【００１９】
本発明の排出用補助具において、前記主体部が、長手方向に間隔をおいて配した環状円板の外周部に周方向の所要間隔毎に複数本の棒状線材を配して形成した網状体よりなり、外周全域に環状円板と前記棒状線材により画される長孔状の開孔が形成されてなるものとすることができる。これにより、排出用補助具としての剛性が高く、取り扱い易く、前記連結用筒部を排出用口部に嵌入して立設した場合に立設状態を良好に保持でき、また使用後の洗浄も容易に可能になる。
【００２０】
前記主体部が、多数の開孔を有する多孔板もしくは金網よりなる保形性のある網状体により筒形をなすように形成されてなるものとすることもできる。
【００２１】
また、本発明は、排出用口部を底部に有し液体もしくは粘体を収納する内袋と、該内袋の外側を覆う外容器とを備えるコンテナにおいて、前記排出用口部に連結された排出用管を通じてポンプの吸引力で収納物である液体もしくは粘体を排出する際の排出方法として、前記主体部の下端に連結用筒部が設けられた前記排出用補助具を用いることとし、該排出用補助具を前記内袋上部の開口もしくは注入口から該内袋内に挿入して、前記連結用筒部を内袋底部の排出用口部に嵌入することにより立設状態に保持するとともに、前記内袋上部の開口もしくは注入口を閉塞した状態で、該内袋上部を前記排出用補助具の上端部もしくは外容器の蓋付きの開口部等に係合して下方に落ち込ませないように保持して、排出を行うことを特徴とする。これにより、前記したように、前記内袋が外容器の底部上に折り畳まれるのを規制しながら、内部の収納物を前記排出用補助具の主体部全域の開孔及び内孔を通じて排出用口部から効率よく排出できる。
【発明の効果】
【００２２】
上記したように、本発明の排出用補助具によれば、液体もしくは粘体を収納する内袋を備えるコンテナにおいて、粘体等の収納物を排出する際に使用するもので、前記内袋内に挿入しセットした前記排出用補助具の主体部の上下一方端に有する連結用筒部に排出用管を接続しておいて、内袋上部の開口部もしくは注入口を閉塞した状態でポンプにより吸引し排出することにより、収納物の減少に伴って前記内袋同士を密着させたり、排出用口部を塞ぐ虞なく最後まで殆ど残留させずに効率よく排出でき、略完全な排出が可能になる。
【００２３】
しかも、前記排出用補助具は、内袋とは別に取り扱えるため、前記内袋の使用までの折り畳みの邪魔にならないばかりか、使用後には該排出用補助具を内袋から容易に分離でき、内袋を廃棄処理する場合にも、該排出用補助具を洗浄することにより半永久的に繰り返し使用することができて、コンテナ毎に準備する必要がなく、極めて経済的である。
【発明を実施するための最良の形態】
【００２４】
次に本発明を実施するための最良の形態を図面に示す実施例に基づいて説明する。
【００２５】
図１は本発明の液体もしくは粘体の排出用補助具の斜視図、図２は同側面図、図３は同横断面図、図４は内袋を備える液体もしくは粘体用のコンテナの１例を示す概略断面図である。図５はコンテナの内袋内に収納対象の液体や粘体を収納した状態で本発明の排出用補助具をセットした状態の断面図、図６は同上の上部側の一部欠截斜視図、図７は同上の排出用口部の部分の拡大断面図、図８は同上の注入口の部分の拡大断面図、図９（ａ）（ｂ）（ｃ）（ｄ）は内袋を例示する略示図である。
【００２６】
図において、符号Ａは本発明に係る排出用補助具を示し、Ｂは前記排出用補助具Ａを使用する液体もしくは粘体用のコンテナの１例を示している。前記コンテナＢは、例えば図５のように、底部２１に排出用口部２２を有し、液体もしくは粘体を収納する内袋２０と、外形が直方体形状をなし前記内袋２０を外側から支持する外容器３０とからなる。
【００２７】
図の場合、前記外容器３０は、パレット部３１の上に底枠部３２を載設してなり、該底枠部３２内の側板から連続して中央部に向かって傾斜した漏斗状の底部３３を有し、該底部３３の中央部に前記内袋２０の排出用口部２２及び該排出用口部２２に連結される開閉バルブ付きの排出用管２５をセットするための開口部３４が設けられている。そして前記底枠部３２の上には、四隅部の支柱３５と、該支柱３５により支持された四方側面の側壁板３６とが設けられるとともに、さらにその上に上枠３７が載設されて、ボックス体３８が組み立て構成されており、このボックス体３８が前記内袋２０を外側から保持する外容器３０として構成されている。前記ボックス体３８は、組み立て分解可能に設けられるほか、前記支柱３５及び側壁板３６が折り畳み可能に構成される場合もある。
【００２８】
前記内袋２０は、例えばポリエチレンフィルム等の合成樹脂フィルムの単層もしくは複層のシートよりなる袋、またはこれらとターポリン製シートとの組み合わせよりなる袋、あるいはゴム製の袋よりなる。この内袋２０の底部２１の中央部には、筒部２２ａ１とフランジ部２２ａ２とからなる合成樹脂製の口部材２２ａが前記フランジ部２２ａ２での熱融着手段にて結合されることにより前記排出用口部２２が形成されている。使用の際には、前記口部材２２ａの筒部２２ａ１を前記外容器３０の底部３３に有する開口部３４に挿入して前記フランジ部２２ａ２を受部材２２ｂにより受支する。前記排出用管２５は前記口部材２２ａの下方向きの筒部２２ａ１に対しクランプ手段その他の締結手段により締結される。前記内袋２０の上部には、合成樹脂製の口部材２３ａが熱融着手段等により結合された注入口２３が設けられ、該口部材２３ａに螺着されるキャップ２４により開閉自在に設けられている。
【００２９】
前記内袋２０としては、前記の例のように底部２１に口部材２２ａによる排出用口部２２を、上部に口部材２３ａによる注入口２３をそれぞれ設けたものには限らず、種々の袋形態による実施が可能である。例えば、図１０（ａ）のように、ガセット状に折り込んで形成した胴部と同口径で上端まで連続して開口させておいて、液体や粘体を収納した状態で該開口部２０ａをバンドや紐体（図示せず）により緊締して閉塞するようにしたもの、あるいは同図（ｂ）のように、前記胴部より細径の筒状開口部２０ｂを連続形成しておき、液体や粘体を収納した状態で該筒状開口部２０ｂをバンドや紐体（図示せず）により緊締して閉塞するようにしたもの、あるいは同図（ｃ）のように、前記同様の筒状開口部２０ｂから胴部へ連続する肩部２０ｃを斜めに形成したもの、あるいは同図（ｄ）のように、表裏体２０−１、２０−２を上下に重ね合わせて周縁部で融着手段等により接合し、上下の表裏体２０−１、２０−２の中央部に前記同様の注入口２３と排出用口部２２を設けたものとすることができる。
【００３０】
そして、前記のコンテナＢに使用する本発明に係る排出用補助具Ａは、概ね次のような構成を備えてなる。
【００３１】
図１〜図４に示すように、本発明の排出用補助具Ａは、前記内袋２０の排出用口部２２より径大の外径でありながら前記内袋２０の上部に有する開口部２０ａ、２０ｂもしくは注入口２３より挿入可能で、かつ、液体もしくは粘体等の収納状態における収納物ａの上方の位置から底部２２もしくはその近傍にまで挿入できる所要長さ、特に好ましくは排出開始前のほぼ満杯状態の収納物ａの上方から底部２２に達する長さの主体部１０を有してなり、該主体部１０が外周全域にわたって収納物ａが通過可能な開孔１１を有する網状体による筒形をなしている。
【００３２】
図の場合、前記主体部１０は、長手方向に所要の間隔を存して配した剛性素材の環状円板１２の外周部に、周方向の所要間隔毎に複数本、例えば図のように１０本の棒状線材１３を配して形成した網状体よりなり、前記環状円板１２と前記棒状線材１３により画される長手方向の長孔状をなす開孔１１が外周全域に形成され、これにより該開孔１１を前記収納物ａが通過可能に設けられている。１４は前記主体部１０の長手方向に連続し貫通する内孔を示し、前記収納物ａが長手方向に流通できるようになっている。
【００３３】
前記環状円板１２の配置間隔及び棒状線材１３の配置間隔は、保形強度や収納物ａの排出性能を考慮して任意に設定できる。例えば、図のように、長手方向の両端部で前記環状円板１２の配置間隔を中央部より小さくすることも、また全長にわたって同間隔に配置することもできる。
【００３４】
前記主体部１０としては、環状円板１２と棒状線材１３とにより網状に形成するほか、例えば、パンチングメタル等の多数の開孔を有する多孔板もしくは比較的粗い網目を有する金網等の保形性のある網状体により筒形に形成したものを用いることもできる。使用上の保形強度あるいは使用後の洗浄の容易性等の点から、前記の環状円板１２と棒状線材１３を用いて形成するのが好ましい。
【００３５】
いずれにしても、前記主体部１０の上下一方端、例えば底部２１に排出用口部２２を有する前記内袋２０を備えるコンテナＢで使用する場合は下端に、前記排出用口部２２を介して前記開閉バルブ付き排出用管２５と接続される連結用筒部１５が設けられている。具体的には、前記主体部１０が前記内袋２０の排出用口部２２よりも径大の外径をなすとともに、下端に形成される前記連結用筒部１５が前記主体部１０より径小で前記排出用口部２２に嵌入し得るように形成されており、前記排出用口部２２に対する前記連結用筒部１５の嵌入により立設状態に保持し得るように設けられている。
【００３６】
前記連結用筒部１５は、前記口部材２２ａによる前記排出用口部２２の内径より僅かに径小の外径で、該排出用口部２２に対し殆ど隙間を生じさせずに嵌入できるように形成される。すなわち、前記連結用筒部１５と排出用口部２２の間に大きな隙間を生じると、ポンプによる吸引排出の際に、隙間に収納物が入り込むことになるので、前記隙間はできるだけ小さいのが好ましい。一方、前記の隙間が小さくなるほど連結用筒部１５を排出用口部２２に嵌入し難くなり、また収納物ａの上方から落とし込んで挿入し嵌入する場合の挿入操作が行い難くなるので、実施上は直径で１ｍｍ前後の径差による隙間を保有するのが好ましい。
【００３７】
特に、前記連結用筒部１５の下端部に、収納物ａの流通を阻害しない形状で先細状をなす挿入ガイド１７を設け、前記排出用口部２２に対して該挿入ガイド１７の先端１７ａが入り込みさえすれば、前記連結用筒部１５を該排出用口部２２に嵌入できるように設けておくのが、前記の挿入操作上さらに好ましい。
【００３８】
前記挿入ガイド１７の形状は、図のように十字状或いはＹ字状のガイド部材１８を交叉部が下端になるように屈曲形成して該先端１７ａに丸みをつけた断面逆三角形状に形成するほか、収納物ａの流通を阻害しないで排出用口部２２に対する嵌入時のガイド効果を発揮できる種々の形状による実施が可能である。例えば、前記ガイド部材１８を下端ほど径小の断面放物線形状や半長円形状に屈曲形成したものによる実施も可能である。いずれにしても、先端（下端）には図のように丸みを付けておくのが、上方からの落とし込みによる挿入操作の際に前記内袋２０に傷を付けることがなく好ましい。
【００３９】
なお、前記排出用補助具Ａの前記連結用筒部１５とは反対側の端部すなわち上端部については、図のように前記連結用筒部１５と同径の筒部１９を設けて開口させておくほか、該筒部１９の端部を閉塞しておくことも、該筒部１９に対しキャップ（図示せず）を螺着できるようにして閉塞可能に構成しておくことも、また、前記筒部１９を省略して環状円板１２により端部を形成しておくこともできる。
【００４０】
上記のように構成された本発明の排出用補助具Ａの使用状態について説明する。この排出用補助具Ａは、コンテナＢにおける外容器３０内へ内袋２０を組込みセットする際に、同時に、内袋２０内に挿入して連結用筒部１５を排出用口部２２に嵌入しセットしておくこともできるが、輸送時の揺動を規制する手段が必要になる等の問題があるので、通常は、コンテナＢによる輸送時等はコンテナＢに組み込まずに分離しておいて、輸送先での収納物ａの排出の際に挿入して使用する。
【００４１】
この使用において、例えば底部２１に排出用口部２２を有する内袋２０を備えるコンテナＢにおいて使用する場合、前記内袋２０の上部の開口部もしくは注入口２３を通して、収納物ａに対して上方から前記排出用補助具Ａを落とし込むように挿入し、前記主体部１０の下端に有する連結用筒部１５を排出用口部２２に嵌入させて立設状態に保持する。このとき、収納物ａが不透明の液体や粘体であって前記排出用口部２２が上方から見えなくても、前記排出用補助具Ａを僅かに上下動させるようにして、前記連結用筒部１５の下端に連設されている挿入ガイド１７により前記排出用口部２２の位置を探るようにして容易に嵌合することができる。すなわち、前記挿入ガイド１７の先端が前記排出用口部２２に入り込めば、そのまま落とし込むようにして、前記連結用筒部１５を排出用口部２２に嵌入できる。
【００４２】
前記のように、排出用補助具Ａを挿入して立設した状態で、前記内袋２０の上部の開口部をバンドや紐体により緊締して閉塞するか、あるいは前記注入口２３をキャップ２４により閉塞した状態にして、内袋上部を前記排出用補助具Ａの上端部、または外容器３０の上部もしくは別途設けられる係止部材に係止して落ち込まないように保持しておく。
【００４３】
例えば、図６、図８のように、前記上枠３７の相対向辺の枠部３７ａ，３７ａに脱着可能に架渡された２本の支持フレーム２７，２７上に、前記内袋２０の注入口２３を形成する口部材２３ａに対し両側から挟み込んで係止する二つ割形の係止部材２８ａ，２８ｂを設けておいて、該係止部材２８ａ，２８ｂにより前記口部材２３ａを係止して下方に落ち込まないように保持する。図の場合、前記一方の係止部材２８ａは、前記支持フレーム２７，２７上で他方の係止部材２８ｂに対し接近、離隔方向にスライド可能に設けられるとともに、ネジ部材２９により任意の位置で固定できるように構成されている。
【００４４】
また、前記排出用補助具Ａの上端部は、前記注入口２３の内部に位置させるようにして揺動しないように保持する。そのため、該排出用補助具Ａは、前記排出用口部２２に連結用筒部１５を嵌入して立設した状態において、上端部が前記注入口２３の内側に位置するようにコンテナのサイズ等に応じて前記主体部１０の長さが設定される。前記上端部に筒部１９を有する場合は、該筒部１９が注入口２３の内側に位置し、かつ端面がキャップ２４の内面に当接あるいは近接するように前記長さが設定される。
【００４５】
こうして、前記内袋２０の排出用口部２２に連結されている排出用管２５に接続されたポンプの吸引力で収納物ａを吸引し排出する。この収納物ａの排出による減少に伴って前記内袋２０が弛むことになっても、該内袋２０の同士が密着したり排出用口部２２を塞いだりして排出を阻害する虞がなく、最後まで殆ど残留させずにスムーズに排出できる。
【００４６】
特に、前記排出用補助具Ａの主体部１０が外周全域に開孔１１を有する網状体による筒形をなしており、ポンプの吸引力が該主体部１０の内孔１４を通じて外周全域の開孔１１に及ぶため、収納物ａが高粘度の粘体であっても前記外周全域で吸引して効率よく排出できる。また仮に、前記内袋２０の一部が前記排出用補助具Ａの主体部１０の一部に密着して一部の開孔１１を閉塞することがあっても、他の開孔１１の部分から吸引して排出できることになる。さらに、前記内袋２０が外容器３０の底部３３上に折り畳まれるのを前記排出用補助具Ａにより防止できる。そのため、収納物ａを殆ど残留させずに効率よく最後まで排出でき、略完全な排出が可能になる。
【００４７】
また、前記排出用補助具Ａは、前記内袋２０に対し挿入可能で必要に応じて挿入セットして使用するもので、内袋２０とは別に取り扱えるため、前記内袋２０の使用までの折り畳みの邪魔にならず、しかも使用後には該排出用補助具Ａを取り外しておくことにより、内袋２０のみを廃棄でき、該排出用補助具Ａを繰り返し使用することができる。
【００４８】
なお、本発明の排出補助具Ａは、収納物ａの吸引排出の開始までに内袋２０内に上記のように挿入セットして使用するほか、前記コンテナＢの形態によっては、底部の排出用口部２２からの収納物ａの吸引排出がある程度進んだ状態において、内袋２０に挿入セットして使用することもできる。
【００４９】
すなわち、ポンプによる内部の収納物ａの吸引排出に伴って、内袋２０の外面に大気圧が作用していることもあって内袋内の収納物ａは上面が降下するように減少する。そのため、ある程度の排出が進むまでは排出が阻害されることが殆どないので、例えば１／３〜２／３程度の排出が進んだときに、内袋２０上部の開口あるいは注入口２３を開いて、排出用補助具Ａを上記同様に内袋２０内に挿入し、上記した実施例と同様に下端の連結用筒部１５を排出用口部２２に嵌入して立設状態に保持し、再度内袋２０上部の開口或いは注入口２３を閉塞した状態にし、さらに必要に応じて内袋２０の上部を外容器３０の上部等に係止して落ち込まないように保持して吸引排出を行う。特に、コンテナＢの外容器３０が、四方側面の側壁板３６が折り畳み可能なボックス体３８よりなるものであれば、一側面の側壁板３６を開くことにより、前記の挿入セット操作を容易に行うことができる。この場合にも、収納物ａを殆ど残留させずに効率よく最後まで排出できることになる。また、排出用補助具Ａは前記のように使用する場合、上記した実施例に比して長さが短いものでよいことになる。
【００５０】
上記した実施例においては、底部２１に排出用口部２２を有する袋体２０を備えるコンテナＡに使用する場合について説明したが、本発明の排出用補助具Ａは、内袋２０の上部に有する注入口２３から、液体や粘体等の収納物ａをポンプにより吸引して排出する場合、すなわち排出用口部を有さない内袋を使用する場合にも利用できる。例えば、収納対象の液体や粘体の種類によっては、漏出等の危険性や排出後の洗浄作業の問題から、コンテナ下部のバルブ付き排出用管より排出する構造を採用できないため、底部に排出用口部を有さないものにしてコンテナ上部から内部の収納物を吸引排出する必要がある。この際に本発明の排出用補助具Ａを使用できる。
【００５１】
この場合、図１０のように、主体部１０の上端部に連結用筒部１６を設けた排出用補助具Ａを用い、該排出用補助具Ａを内袋２０内の収納物ａに対し上方より挿し込み、下端が底部２１に当接あるいは近接させるように位置させておいて、前記連結用筒部１６にポンプによる吸引用の排出用管２６を連結して使用する。そのため、前記連結用管１６は前記排出用管２６の端部が連結可能に設けられる。例えば、外周に前記排出用管２６の端部を螺合できるネジ１６ａが形成される。
【００５２】
この実施例においても、内袋１０の上部を排出用補助具Ａに対しバンドや紐体４６で緊締する等して閉塞状態に保持しておいて、ポンプにより吸引排出を行うことにより、網状体による筒形をなす主体部１０の内孔１４を通じてポンプの吸引力が該主体部１０の外周全域の開孔１１に及ぶことで、収納物ａを前記全域で吸引して効率よく排出できる。また、前記内袋２０の一部が前記排出用補助具Ａの主体部１０の上部側の一部に密着することがあっても、下部側の他の開孔１１の部分から吸引して排出でき、ひいては、最後まで略完全に排出することができる。
【００５３】
また、コンテナＢの形態としては、上記した実施例のように、外容器３０が組み立てあるいは折り畳みが可能なボックス体３８からなるもののほか、図１１のように、外容器３０が合成樹脂材の遠心成形によるタンクであって、底部４１にバルブ付き排出用管２５が連結される排出口４２が設けられ、上部開口部４３に嵌合可能な内蓋４４と螺着可能な外蓋４５を備えるタンク４０に、底部２１に排出用口部２２を形成する口部材２２ａを設けた内袋２０を内装体として、前記口部材２２ａを前記排出口４２に嵌合させて用いたコンテナにおいても、収納物ａの排出の際に、上記同様の構成の排出用補助具Ａを、前記内袋２０の上部開口もしくは注入口２３を通して収納物ａの上方から挿入セットして用いることができる。
【００５４】
この場合、前記排出用補助具Ａは、網状体による筒形をなす主体部１０を前記タンク４０内の収納物ａの上方から底部４１に達する長さにして、該主体部１０の下端部に備える連結用筒部１５及び挿入ガイド１７を、前記口部材２２ａに対して嵌入できるように形成しておく。前記連結用筒部１５及び挿入ガイド１７を前記口部材２２ａに嵌入して立設した状態で、内袋２０の上部開口を閉塞状態に保持して排出を行う。上部開口を閉塞するには、バンドや紐体により緊締するほか、内袋２０の上部開口端部をタンク４０の開口部４３より外側に出して内蓋４４を嵌着することにより閉塞することができる。また、内袋２０の上部に注入口２３を有する場合は、該注入口２３をキャップ２４により閉塞しておく。こうして、排出用管２５を通じてポンプにより吸引して排出することにより、上記した実施例と同様に、網状体による筒形をなす主体部１０の内孔１４を通じてポンプの吸引力が該主体部１０の外周全域の開孔１１に及ぶことで、収納物ａを前記外周全域で吸引して効率よく最後まで排出できる。
【産業上の利用可能性】
【００５５】
本発明は、液体もしくは粘体を収納する内袋を備える輸送用のコンテナ、特には粘度の高い粘体を収納するコンテナにおいて好適に使用できる。
【図面の簡単な説明】
【００５６】
【図１】本発明の液体もしくは粘体の排出用補助具の斜視図である。
【図２】同上の側面図である。
【図３】同上の横断面図である。
【図４】内袋を備える液体もしくは粘体用のコンテナの１例を示す概略断面図である。
【図５】コンテナの内袋内に収納対象の液体や粘体を収納した状態で本発明の排出用補助具をセットした状態の断面図である。
【図６】同上の上部側の一部欠截斜視図である。
【図７】同上の排出用口部の部分の拡大断面図である。
【図８】同上の注入口の部分の拡大断面図である。
【図９】（ａ）（ｂ）（ｃ）（ｄ）は内袋を例示する略示図である。
【図１０】本発明の他の実施例の使用状態を示す断面図である。
【図１１】本発明のさらに他の使用例を示す断面図である。
【符号の説明】
【００５７】
Ａ…排出用補助具、Ｂ…コンテナ、ａ…収納物、１０…主体部、１１…開口、１２…環状円板、１３…棒状線材、１４…内孔、１５，１６…連結用筒部、１６ａ…ネジ、１７…挿入ガイド、１７ａ…先端、１８…部材、１９…筒部、２０…内袋、２０ａ…開口部、２０ｂ…筒状開口部、２１…底部、２２…排出用口部、２２ａ…口部材、２２ｂ…筒部、２３…注入口、２３ａ…口部材、２４…キャップ、２５…バルブ付き排出用管、２６…吸引用の排出用管、２７…支持フレーム、２８ａ．２８ｂ…係止部材、２９…ネジ部材、３０…外容器、３１…パレット部、３２…底枠部、３３…底部、３４…開口部、３５…支柱、３６…側壁板、３７…上枠、３７ａ…枠部、３８…ボックス体、４０…タンク、４１…底部、４２…排出口、４３…開口部、４４…内蓋、４５…外蓋、４６…紐体。
【図１】
2010126178.tif 000003
【図２】
2010126178.tif 000004
【図３】
2010126178.tif 000005
【図４】
2010126178.tif 000006
【図５】
2010126178.tif 000007
【図６】
2010126178.tif 000008
【図７】
2010126178.tif 000009
【図８】
2010126178.tif 000010
【図９】
2010126178.tif 000011
【図１０】
2010126178.tif 000012
【図１１】
2010126178.tif 000013